(57)【特許請求の範囲】
【請求項１】
上面に出し入れ口を備えたケース本体と、このケース本体にヒンジ部により取付けられて上記出し入れ口を開閉する蓋とから成り、上記ケース本体の内部空間が、袋入り薬剤を収容しうる第１収容部と、錠剤を収容しうる第２収容部とに仕切られる一方、上記ケース本体にフラップが、上記蓋の開閉中心軸と平行な軸を中心として、上記第１収容部に収容された袋入り薬剤を上から押さえ込む倒伏位置と、同薬剤を解放する起立位置との間で回動自在に取付けられ、このフラップに薬剤押し上げ部が、フラップの倒伏位置でケース本体の底面に接し、起立位置で同本体底面から起き上がる状態で、フラップに対して薄肉のヒンジ部を介して回動自在に設けられたことを特徴とする携帯用薬ケース。
【請求項２】
フラップに指挿入用の切欠が設けられたことを特徴とする請求項１記載の携帯用薬ケース。
【請求項３】
薬剤押し上げ部に指挿入用の切欠が設けられたことを特徴とする請求項１または２記載の携帯用薬ケース。
【発明の詳細な説明】
【０００１】
【発明の属する技術分野】
本発明は薬剤を収容して携帯する携帯用薬ケースに関するものである。
【０００２】
【従来の技術】
従来、携帯用薬ケースとして、上面に出し入れ口を備えた偏平なケース本体に蓋をヒンジ部を介して開閉自在に取付けて成るものが一般に知られている。
【０００３】
この公知の携帯用薬ケースにおいては、袋入り薬剤（粉薬、顆粒薬）用と錠剤用とに用途を分け、袋入り薬剤用ケースにおいてはケース本体の内部空間をとくに仕切らず、錠剤用ケースにおいては本体内部空間を細かく仕切って適量ずつ収容する構成がとられている。
【０００４】
【発明が解決しようとする課題】
しかし、このように用途を分けた公知のケースによると、袋入り薬剤と錠剤の双方を携帯したい場合、二つのケースを持ち歩くか、袋入り薬剤用ケースに錠剤を混ぜて収容するよりほかなかった。
【０００５】
このため、いずれの場合も薬の取出しに手間取り、とくに発作時等の緊急時に問題となっていた。
【０００６】
そこで本発明は、袋入り薬剤と錠剤を整然と分けて収容し、迅速に取出すことができる薬ケースを提供するものである。
【０００７】
【課題を解決するための手段】
請求項１の発明は、上面に出し入れ口を備えたケース本体と、このケース本体にヒンジ部により取付けられて上記出し入れ口を開閉する蓋とから成り、上記ケース本体の内部空間が、袋入り薬剤を収容しうる第１収容部と、錠剤を収容しうる第２収容部とに仕切られる一方、上記ケース本体にフラップが、上記蓋の開閉中心軸と平行な軸を中心として、上記第１収容部に収容された袋入り薬剤を上から押さえ込む倒伏位置と、同薬剤を解放する起立位置との間で回動自在に取付けられ、このフラップに薬剤押し上げ部が、フラップの倒伏位置でケース本体の底面に接し、起立位置で同本体底面から起き上がる状態で、フラップに対して薄肉のヒンジ部を介して回動自在に設けられたものである。
【０００８】
請求項２の発明は、請求項１の構成において、フラップに指挿入用の切欠が設けられたものである。
【０００９】
請求項３の発明は、請求項１または２の構成において、薬剤押し上げ部に指挿入用の切欠が設けられたものである。
【００１０】
上記構成によると、袋入り薬剤（粉薬、顆粒薬）と錠剤とを第１収容部と第２収容部とに分けて整然と収容することができる。このため、携帯先で必要な薬を迅速に取出すことができる。
【００１１】
また、収容された薬剤をフラップにより押え込んで保持できるため、蓋を開いた状態で振動やケースの傾き等によって薬剤がこぼれ落ちるおそれがない。
【００１２】
さらに、フラップを起こせばこれに追随して薬剤押し上げ部が起き上がって薬剤を押し上げるため、薬剤、とくに積み重ね収容された袋入り薬剤の選択、取出しが容易となる。
【００１３】
この場合、薬剤押し上げ部がフラップに対し薄肉のヒンジ部を介して回動自在に設けられているため、フラップの起立位置で薬剤押し上げ部が自重および薬剤重量により薄肉のヒンジ部を中心として本体底面側に回動し、フラップとこの薬剤押し上げ部との間の開口量が大きくなる。このため、薬剤の取出しがより容易となる。
【００１４】
また、フラップに指挿入用の切欠が設けられた請求項２の構成、および薬剤押し上げ部に指挿入用の切欠が設けられた請求項３の構成によっても、とくに積み重ね状態の薬剤を、切欠から指を挿入して容易に取出すことができる。
【００１５】
【発明の実施の形態】
本発明の実施形態を説明するに当たって、実施形態に至る第１〜第３各参考形態をまず説明する。
【００１６】
第１参考形態（図１，２参照）
第１参考形態では、最も基本的な形態として、ポリプロピレン等のプラスチックから成るケース本体１と蓋２とによって携帯用薬ケースが構成されている。
【００１７】
ケース本体１は上面に出し入れ口１ａを備えた四角形の偏平器状に形成され、対向する二辺部間に設けられた仕切り壁３により、内部空間が、袋入り薬剤Ａを収容しうる相対的に大容積の第１収容部４と、錠剤Ｂを収容しうる相対的に小容積の第２収容部５とに仕切られている。
【００１８】
蓋２は、ケース本体１に対応する平面形状およびサイズを備えた偏平器状に形成され、同本体１の一辺部に薄肉のヒンジ部６を介して一体に連設されることにより、このヒンジ部６を中心に回動してケース本体１の出し入れ口１ａを開閉しうるようになっている。
【００１９】
図中、７は蓋２を閉じ状態に保持する本体側係止片、８は同蓋側止め片である。
【００２０】
この携帯用薬ケースによるときは、ケース本体１内が仕切り壁３によって大容積の第１収容部４と小容積の第２収容部５とに仕切られているため、平面サイズの大きい袋入り薬剤（粉薬、顆粒薬）Ａを第１収容部４に、平面サイズの小さい錠剤Ｂを第２収容部５にそれぞれ分けて整然と収容することができる。
【００２１】
このため、これら両薬剤Ａ，Ｂを混ぜて単一の空間に収容する従来の携帯用薬ケースと比較して、携帯先で必要な薬を迅速に取出すことができる。
【００２２】
第２参考形態（図３，４参照）
第１参考形態との相違点のみを説明する。
【００２３】
第２参考形態ではケース本体１にフラップ９が取付けられている。
【００２４】
このフラップ９は、左右両側壁９ａ，９ａを備えた枠状に形成され、左右両側壁９ａ，９ａの外面に蓋２の開閉中心軸（ヒンジ部６）と平行に取付けられたフラップ支軸１０を中心として、図３実線で示すように水平に倒伏する倒伏位置と、同図仮想線で示すようにほぼ垂直に起立する起立位置との間で回動自在に取付けられている。
【００２５】
上記倒伏位置では、フラップ９が、本体１の出し入れ口１ａにおける第１収容部４の開口部分の半分以上を覆い、第１収容部４に収容された袋入り薬剤Ａ…を本体底面側に押え込む。
【００２６】
一方、起立位置では、上記開口部分が開放されて薬剤Ａ…がフラップ９から解放され、薬剤Ａを自由に出し入れすることができる。
【００２７】
また、フラップ９には、遊端側の中央部に手指を挿入しうる大きさの切欠１１が設けられている。
【００２８】
この構成によると、フラップ９により薬剤Ａを本体底面側に押え込んで保持することができるため、蓋２を開けた途端に薬剤Ａが飛び出したり、たとえば車中で薬を服用する場合に、蓋２を開いた状態で振動やケースの傾き等によって薬剤Ａがこぼれ落ちるおそれがない。
【００２９】
また、蓋２を開けた状態で、フラップ９を起立位置に回動させることにより、出し入れ口１ａを全開状態として薬剤Ａを自由に出し入れすることができる。
【００３０】
あるいは、積み重ね状態の上層の薬剤Ａを取出すときは、フラップ９を起立させるまでもなく、フラップ９の切欠１１から指先を入れて所望の薬剤を摘み出すことができる。
【００３１】
第３参考形態（図５，６参照）
第３参考形態では、フラップ９の倒伏状態での下面側に平板状の薬剤押し上げ部１２が、フラップ９の倒伏状態で本体底面に接する状態で一体に連設されている。
【００３２】
また、この薬剤押し上げ部１２にも指挿入用の切欠１３が設けられている。
【００３３】
この構成によると、フラップ９を起立位置に回動させると、これと一体に薬剤押し上げ部１２がほぼ垂直に起き上がって、第１収容部４に収容された袋入り薬剤Ａ…が水平姿勢から垂直姿勢に転じるため、薬剤Ａの選択・取出しが容易となる。
【００３４】
なお、フラップ９の左右両側壁９ａにも指挿入用の切欠を設けてもよい。
【００３５】
本発明の実施形態（図７，８参照）
本発明の実施形態においては、第３参考形態の構成を基本として、これに改良を加えている。
【００３６】
第３参考形態では薬剤押し上げ部１２がフラップ９に一体回動可能に連設されたのに対し、本発明の実施形態では、薬剤押し上げ部１２が蓋２のヒンジ部６と平行な薄肉のヒンジ部１４を介してフラップ９に連設され、このヒンジ部１４を中心としてフラップ９に対し回動しうるようになっている。
【００３７】
この構成によると、図７に示すようにフラップ９を起立位置に回動させた状態で、薬剤押し上げ部１２が自重および薬剤重量により垂直よりも本体底面側に倒れた状態となるため、この押し上げ部１２とフラップ９との間の開口量が大きくなる。このため、薬剤Ａの出し入れがより一層簡単となる。
【００３８】
なお、フラップ９を起立位置に回動させた状態でのフラップ９に対する薬剤押し上げ部１２の角度は、ヒンジ部１４の剛性（材質、厚み等）によって任意に設定することができる。
【００３９】
ところで、フラップ９および薬剤押し上げ部１２の切欠１１，１３は必ずしも設けなくてもよい。あるいは、細幅の切欠を左右方向に複数設けてフラップ９および薬剤押し上げ部１２をフォーク状に形成してもよい。
【００４０】
【発明の効果】
上記のように本発明によるときは、ケース本体の内部空間が、袋入り薬剤を収容しうる第１収容部と、錠剤を収容しうる第２収容部とに仕切られているため、袋入り薬剤と錠剤とを第１収容部と第２収容部とに分けて整然と収容することができる。このため、携帯先で必要な薬を迅速に取出すことができる。
【００４１】
また、収容された薬剤をフラップにより押え込んで保持できるため、蓋を開いた状態で振動やケースの傾き等によって薬剤がこぼれ落ちるおそれがない。
【００４２】
さらに、フラップを起こせばこれに追随して薬剤押し上げ部が起き上がって薬剤を押し上げるため、薬剤、とくに積み重ね収容された袋入り薬剤の選択、取出しが容易となる。
【００４３】
この場合、薬剤押し上げ部をフラップに対し薄肉のヒンジ部を介して回動自在に設けているため、フラップの起立位置で薬剤押し上げ部が自重および薬剤重量により薄肉のヒンジ部を中心として本体底面側に回動し、フラップとこの薬剤押し上げ部との間の開口量が大きくなる。このため、薬剤の取出しがより容易となる。
【００４４】
また、フラップに指挿入用の切欠を設けた請求項２の発明、および薬剤押し上げ部に指挿入用の切欠が設けられた請求項３の発明によっても、とくに積み重ね状態の薬剤を、切欠から指を挿入して容易に取出すことができる。
【図面の簡単な説明】
【図１】  本発明の第１参考形態にかかるケースの斜視図である。
【図２】  同ケースの垂直断面図である。
【図３】  本発明の第２参考形態にかかるケースの斜視図である。
【図４】  同ケースの垂直断面図である。
【図５】  本発明の第３参考形態にかかるケースの斜視図である。
【図６】  同ケースの垂直断面図である。
【図７】  本発明の実施形態にかかるケースの斜視図である。
【図８】  同ケースの垂直断面図である。
【符号の説明】
１  ケース本体
２  蓋
３  仕切り壁
４  第１収容部
５  第２収容部
６  蓋のヒンジ部
９  フラップ
１０  フラップの回動支軸
１１  フラップの切欠
１２  薬剤押し上げ部
１３  薬剤押し上げ部の切欠
１４  薬剤押し上げ部のヒンジ部
【図１】
0003801262.tif 000002
【図２】
0003801262.tif 000003
【図３】
0003801262.tif 000004
【図４】
0003801262.tif 000005
【図５】
0003801262.tif 000006
【図６】
0003801262.tif 000007
【図７】
0003801262.tif 000008
【図８】
0003801262.tif 000009